(57)【特許請求の範囲】
【請求項１】
室内の照明を行う照明灯を有し、該照明灯の照度を太陽光の光量に対応するようにした照明装置であって、
前記照明灯は、日の出時から日没時までの太陽光に対応した第１の照明灯と、前記第１の照明灯よりも色温度が低い異色系の第２の照明灯とを備え、
前記太陽光の光量の変化の推移を測定する光センサを備え、
前記光センサが測定した日の出時から日没時までの太陽光の光量に基づいて、前記太陽光の光量が再現されるよう前記第１の照明灯の照度が制御され、
前記光センサが測定した日没時及び日の出時の太陽光の光量に基づいて、前記太陽光の光量が再現されるよう前記第２の照明灯の照度が制御されること
を特徴とする照明装置。
【請求項２】
室内の照明を行う照明灯を有し、該照明灯の照度を太陽光の光量に対応するようにした照明装置であって、
前記照明灯は、日の出時から日没時までの太陽光に対応した複数の第１の照明灯と、
前記第１の照明灯よりも色温度が低い異色系の複数の第２の照明灯と、
太陽光の光量及び方向の変化の推移を測定する光センサとを備え、
前記光センサが測定した日の出時から日没時までの太陽光の光量及び方向に基づいて、前記太陽光の光量及び方向が再現されるよう前記複数の第１の照明灯が順次点灯あるいは順次消灯されて制御され、
前記光センサが測定した日没時及び日の出時の太陽光の光量及び方向に基づいて、前記太陽光の光量または方向が再現されるよう前記複数の第２の照明灯が順次点灯あるいは順次消灯されて制御されること
を特徴とする照明装置。
【請求項３】
請求項１または２において、
日の出時または日没時には、前記第１の照明灯と前記第２の照明灯を重畳して点灯することを特徴とする照明装置。
【請求項４】
外界から遮断されて太陽光が入射しないことを前提として照明灯の照度を太陽光の光量に対応するようにした部屋において、
作業、業務に必要な照度を確保した部屋全体を平均的に照明する全般照明領域と、時間により照度が可変するよう制御された局所照明領域とから成り、
太陽光の光量及び方向の変化の推移を測定する光センサが備えられ、
該局所照明領域にあっては、前記光センサが測定した日の出時から日没時までの太陽光の光量または方向に基づいて、前記太陽光の光量及び方向が再現されるよう複数の第１の照明灯を順次点灯あるいは順次消灯し、
かつ前記光センサが測定した日没時及び日の出時の太陽光の光量または方向に基づいて、前記太陽光の光量及び方向が再現されるよう、前記第１の照明灯より色温度が低い複数の第２の照明灯を順次点灯あるいは順次消灯し、
以って前記局所照明領域の色温度、照射方向または照度のうち少なくとも一つが継時変化をすること
を特徴とする外界からの光の入射が遮断された部屋。
【請求項５】
外界から遮断されて太陽光が入射しないことを前提として照明灯の照度を太陽光の光量に対応するようにした部屋の照明方法において、
作業、業務に必要な照度を確保した部屋全体を平均的に証明する全般照明領域と、時間により照度が可変するよう制御された局所照明領域とからなり、
太陽光の光量及び方向の変化の推移が光センサで測定され、
該局所照明領域にあっては、前記光センサが測定した日の出時から日没時までの太陽光の光量または方向に基づいて、前記太陽光の光量及び方向が再現されるよう複数の第１の照明灯を順次点灯、あるいは順次消灯し、
かつ前記光センサが測定した日没時及び日の出時の太陽光の光量または方向に基づいて、前記太陽光の光量及び方向が再現されるよう、前記第１の照明灯より色温度が低い複数の第２の照明灯を順次点灯または消灯し、
以って前記局所照明領域の色温度、照射方向または照度のうち少なくとも一つを継時変化させて照明すること
を特徴とする外界からの光の入射が遮断された部屋の照明方法。
【発明の詳細な説明】
【０００１】
【発明の属する技術分野】
本発明は、発電所，大きなビルディングあるいは地下施設内にあるような外界から光の入射が遮断された部屋の照明装置および照明方法、並びにその部屋に関する。
【０００２】
【従来の技術】
昼と夜で変化する照明は、生体リズム、いわゆる体内時計に影響を及ぼすことがあることが知られている。これらの現象は、例えば極地方などの季節により昼夜の変化が乏しいところや発電所の中央制御室のような窓のない監視制御室などで起こり易いと言われている。そこで、このような監視制御室などでは閉塞・圧迫感の低減のために照明に工夫がこらされている。環境因子である照明環境に何らかの変化をつけ、リズムとして作用させることは生体リズムを健康に保つ上に有効と考えられている。
【０００３】
特開平9−306672号公報には、屋内の照明を行う照明負荷と、該照明負荷の点灯を制御して、日の出から日没までの太陽光の光量の変化の推移と対応するように前記照明負荷で照明される照明域の照度を変化させるとともに、少なくとも正午前後の所定期間中前記照度を午前或いは午後の平均照度より高い照度とする点灯制御手段とを備えた照明システムが記載されている。
【０００４】
また、この公報には電力レベル設定部において、夜間は小さく昼間は大きな値とし、朝の移行期と夕方の移行期にはそれぞれ晴天時の日の出と日没をシミュレートするように電力設定値を時間変化させること、照明域の日没以後の照度が作業に適する照度となるように照明負荷の点灯を制御することが記載されている。
【０００５】
【発明が解決しようとする課題】
１日２４時間の生活パターンは、昼と夜が交差する薄暮の時間帯，太陽光が降り注ぐ昼間の時間帯および太陽光のない夜間の時間帯から成り立っており、一日の太陽光の変化の流れを監視制御室などの閉ざされた部屋に反映させることは生体リズムの維持にとって重要である。昼，夜，薄暮を自然光の調子からセンサにより感じ取って時を刻む照明デザインに反映させることで密閉された部屋で作業，業務に励む人達がより快適になる。
【０００６】
本発明は、かかる点に鑑みて作業者,業務者が、昼，夜，薄暮を感じながら作業，業務に励むことができるような照明装置を提供することを目的とする。
【０００７】
本発明は、監視制御室のような密閉された場所で働く人達が一日を通じて昼，夜をより自然に近い状態で感じることによって生体リズムを維持して作業，業務をすることができる環境を提供することを目的とする。
【０００８】
【課題を解決するための手段】
これらの目的を達成するためには、昼間は明るく夜間は暗くというように昼夜で明るさに強弱をつけるだけでなく、更に工夫を加えることで効果を高められる。
【０００９】
このため、本発明は外光を感知し、屋外の日照の様子を表示することができ、屋外に設置される光センサにより制御可能な昼，夜を区別する異なる種類の複数の局部照明によって照明を演出しようとするものである。
【００１０】
本発明は、一日を昼夜に分け、その間の日の出前後の時間帯を日の出時，日没の前後の時間帯を日没時と定義し、両者を薄暮と定義し、照明演出に工夫をして生体リズムの維持に有効な手段を提供する。すなわち、本発明は次に掲げる装置および方法を提供する。
【００１１】
本発明は、室内の照明を行う照明灯を有し、該照明灯の照度を太陽光の光量に対応するようにした照明装置であって、前記照明灯は、日の出時から日没時までの太陽光に対応した複数の第１の照明灯と、前記第１の照明灯よりも色温度が低い異色系の複数の第２の照明灯と、太陽光の光量及び方向の変化の推移を測定する光センサとを備え、前記光センサが測定した日の出時から日没時までの太陽光の光量及び方向に基づいて、前記太陽光の光量及び方向が再現されるよう前記複数の第１の照明灯が順次点灯あるいは順次消灯されて制御され、前記光センサが測定した日没時及び日の出時の太陽光の光量及び方向に基づいて、前記太陽光の光量または方向が再現されるよう前記複数の第２の照明灯が順次点灯あるいは順次消灯されて制御されることを特徴とする照明装置を提供する。
【００１２】
本発明は、外界から遮断されて太陽光が入射しないことを前提として照明灯の照度を太陽光の光量に対応するようにした部屋において、作業、業務に必要な照度を確保した部屋全体を平均的に照明する全般照明領域と、時間により照度が可変するよう制御された局所照明領域とから成り、太陽光の光量及び方向の変化の推移を測定する光センサが備えられ、該局所照明領域にあっては、前記光センサが測定した日の出時から日没時までの太陽光の光量または方向に基づいて、前記太陽光の光量及び方向が再現されるよう複数の第１の照明灯を順次点灯あるいは順次消灯し、
かつ前記光センサが測定した日没時及び日の出時の太陽光の光量または方向に基づいて、前記太陽光の光量及び方向が再現されるよう、前記第１の照明灯より色温度が低い複数の第２の照明灯を順次点灯あるいは順次消灯し、以って前記局所照明領域の色温度、照射方向または照度のうち少なくとも一つが継時変化をする外界からの光の入射が遮断された部屋を提供する。
【００１３】
本発明は、外界から遮断されて太陽光が入射しないことを前提として照明灯の照度を太陽光の光量に対応するようにした部屋の照明方法において、作業、業務に必要な照度を確保した部屋全体を平均的に証明する全般照明領域と、時間により照度が可変するよう制御された局所照明領域とからなり、太陽光の光量及び方向の変化の推移が光センサで測定され、該局所照明領域にあっては、前記光センサが測定した日の出時から日没時までの太陽光の光量または方向に基づいて、前記太陽光の光量及び方向が再現されるよう複数の第１の照明灯を順次点灯、あるいは順次消灯し、かつ前記光センサが測定した日没時及び日の出時の太陽光の光量または方向に基づいて、前記太陽光の光量及び方向が再現されるよう、前記第１の照明灯より色温度が低い複数の第２の照明灯を順次点灯または消灯し、以って前記局所照明領域の色温度、照射方向または照度のうち少なくとも一つを継時変化させて照明する外界からの光の入射が遮断された部屋の照明方法を提供する。
【００１４】
尚、ここで色温度とは、その色を示す理想的な温度放射体の温度（単位Ｋ）である。色温度が低い光は赤みを帯びており、色温度が高い光は青みを帯びている。蛍光灯と白熱灯を比べると、蛍光灯の方が色温度が高く、昼間の外光に近い。（出典：「新しい照明システム設計理論と機器開発技術」／有限会社 研修社・工業技術会株式会社 発行）
【００１５】
【発明の実施の形態】
以下、本発明にかかる一実施例を図面に基づいて説明する。
【００１６】
窓が無く、外光（自然光）の入射が無い部屋、例えば発電所、警察署、消防署あるいは鉄道の中央監視制御室あるいは地下室のような部屋１の屋内２に２種のタイプの異なった照明灯３，４が配設される。照明灯３は蛍光灯（蛍光ランプ）によって代表され、白色系の照明器具であり、ここでは第１の照明灯と呼ぶ。照明灯４は白熱電球の一般電球によるスポットライトによって代表され、黄色あるいは暖かい光色を呈し、照度を制限して使用される。ここでは第２の照明灯と呼ぶ。
【００１７】
第１の照明灯としては昼光色蛍光ランプ、メタルハイランドランプ、透明水銀灯、三波長域発光形蛍光ランプ、蛍光水銀ランプ、白色蛍光ランプ、温白色蛍光ランプが使用でき、第２の照明としてはパロゲン電球、シリカ電球、高圧ナトリウムランプなどを使用できる。
【００１８】
第１の照明灯３および第２の照明灯４はそれぞれ複数の照明灯から成り、図１にあってはそれぞれ６個の照明灯３ａ，３ｂ，３ｃ，３ｄ，３ｅ，３ｆおよび４ａ，４ｂ，４ｃ，４ｄ，４ｅ，４ｆが開示されているが、これに限定されない。
【００１９】
また、屋内には制御信号をうけてそれぞれの照明灯を入り，切りするスイッチ５，６が設けてあり、図にあってはそれぞれ５ａ，５ｂ，５ｃ，５ｄ，５ｅ，５ｆおよび６ａ，６ｂ，６ｃ，６ｄ，６ｅ，６ｆが開示される。
【００２０】
屋内には机１１が配置され、その上に一例としてのジグザグ状の間切り１２が配置される。間切り１２は６個の間切り部１２ａ，１２ｂ，１２ｃ，１２ｄ，１２ｅ，１２ｆからなり、それぞれの間切りの内側に１つずつ第１の照明灯が配設される。また、それぞれの間切り部の上方部に１つずつ第２の照明灯が配設される。
【００２１】
屋外には３つの光センサ２１，２２，２３が置かれて分離板２４によってそれぞれ方向性が与えられる。朝，昼，夕にかけて日光が光センサ２１，２２，２３に向けて照射される。これによって日の出時から日没時までの太陽光の光量に対応した昼の状況が光センサ２１，２２，２３によって計測され、かつ日没時から日の出時までの太陽光の光量に対応した夜の状況が光センサ２１，２２，２３によって計測される。勿論、太陽が日没してしまえば光センサが光量は薄暮時を除いて測定値は一定となる。
【００２２】
光センサ２１，２２，２３が光を感知すると信号２５，２６，２７を発し、これらの信号はＡＮＤ回路２８，２９，３０，３１によってＡＮＤ条件が取られ、ＡＮＤ条件を満足するとスイッチ信号を発する。ただし、図における最左および最右のラインについてはＡＮＤ条件は取られず、信号発生があれば直ちにスイッチ信号となる。あるいは、一定電流以上になるとスイッチ信号を発するようにしてもよい。これらの信号線はそれぞれスイッチ回路５に結線される。この構成によって日の出時から日没時までの太陽光の光量または方向の変化の推移によって、第１の照明灯３の照明が制御される。すなわち、白色系例えば間切り（スリット）１２内におかれた蛍光灯がある複数の照明灯が日の出時には３ａ→３ｂ→全照明の順で点灯するに至り、昼間には全灯を維持する。日没時には日没２時間程度前に照明灯３ａ〜３ｄがまず消灯し、次いで３ｅ，３ｆが順次消灯するに至る。これを図２および図３においてケース（イ）〜（ホ）で示す。
【００２３】
また、第２の照明灯４の消灯および点灯についてケース(ｉ)〜(iv)およびケース(ｉ′)〜(iv′)で示す。日の出時である朝方および日没時である夕方には光センサ２１によって計測された光量は閾値１〜６と比較される。夜間にあっては閾値１によって第２の照明灯４であるスポットライトのすべてが点灯していたもの（ケース(ｉ′)）が、光量が閾値２を超えると照明灯４ｂが消灯するに至る（ケース(ii′)）。このようにして順次照明灯４ｃ〜４ｆが消灯する（ケース(iii′)〜(iv′)）。
【００２４】
日没時では、第１の照明灯３の３ａ〜３ｄが消灯するが、３ｅ，３ｆは点灯されたままの状態とされ（ケース（ニ））、次いでケース（ホ）になり、全消灯となる。順次点灯，消灯するように設定してもよい。
【００２５】
第２の照明灯４の各照明灯の消灯および点灯は第１の照明灯３ａ，３ｂあるいは３ｅ，３ｆの照明パターンに比べてその間隔が短く設定される。
【００２６】
従って、以上のような照明パターンによれば日の出時および日没時には第１および第２の照明灯３，４の一部はラップして、すなわち重なって２重に点灯されることになる。これによって、第１の照明灯と第２の照明灯による実際的な照明の切り替えは円滑に進み、異質なものを感じないで済む。
【００２７】
図２および図３に示すように、第１の照明灯３は日の出から約２時間程度後の日の出時の間および日没前２時間前から日没までの間で点灯，消灯がなされ、第２の照明灯４は日の出から約３０分程度後の日の出時の間および日没前３０分から日没までの間で消灯，点灯が制御される。このように、コンピュータなどの制御装置タイマーを使わずに屋内の照明を昼および夜の雰囲気を演出する照明とすることができる。
【００２８】
タイマーと連動させて、深夜時刻、例えば夜１２時以降にはスポットライトのいくつかを消灯するように設定してもよい。
【００２９】
太陽光の光量の変化の推移を測定する光センサを設け、日の出時から日没時までの太陽光の光量または方向の変化の推移によって前記第１の照明灯の照度を制御し、かつ日没時から日の出時までの太陽光の光量または方向の変化の推移によって前記第２の照明灯の照度を制御し、以って色温度、照射方向または照度のうち少なくとも一つが継時変化をすることによって、外光を感知し、屋外の日照の様子を表現することができる。第１の照明灯に対し、前記第２の照明灯の色温度を低く設定する。また、日の出時または日没時には、前記第１の照明灯と前記第２の照明灯をラップさせて点灯する。屋外に設置される単一または複数の光センサ２１，２２，２３により制御される複数の局部照明を持つ照明装置による昼および夜の並びに薄暮時の雰囲気照明を演出することができることになる。
【００３０】
複数の光センサ２１，２２，２３日照方向の配置と、複数の局部照明灯の点消灯を制御し、他の局部照明灯の点消灯と組み合せることもできる。
【００３１】
また、複数の局部照明灯を制御する制御信号の閾値を設け、局部照明灯の点消灯の相互のタイミングにより以上に変化を持たせた照明表現による照明を演出することができる。
【００３２】
また、光センサ２１，２２，２３からの制御信号により局部照明内部の光源の電力をスイッチングにより制御して点消灯を行うことによっても照明を演出することができる。
【００３３】
図４は、本発明の他の実施例を示す。図１の実施例に示す構成と同一の構成には同一の番号を付し、説明を繰り返さない。以下の他の実施例についても同じ。
【００３４】
また、複数の局部照明灯を制御する制御信号の閾値を設け、局部照明灯の点消灯の相互のタイミングにより以上に変化を持たせた照明表現による照明を演出することができる。
【００３５】
図５において、光センサ４１は６種類の光センサ部４１ａ，４１ｂ，４１ｃ，４１ｄ，４１ｅ，４１ｆから成る。各センサ部には左端部を除いて遮光材４２（半遮光材を含む。）が設けてあって、遮光の程度は右端に行く程大きな値になるように設定される。これによって６種類の制御信号が光センサ４１によって作り出される。
【００３６】
図５は、図４に示すように６個のセンサを使用した場合のスリット内配設の第１の照明灯である蛍光灯および第２の照明灯であるスポットライトの点灯および消灯を行う例を示す。６個のセンサによる日の出時から日没までの太陽光の光量の変化の推移によって蛍光灯の照度を制御し、また日没時から日の出時までの太陽光の光量の変化の推移によってスポットライトの照度を制御する方法を示す。日の出時（例えば６時）にあっては、１つ蛍光灯を１個のセンサ入力値に応じて点灯せしめ、１つのスポットライトを消灯させる。その後、３０分の間に蛍光灯を順次点灯せしめ、スポットライトを順次消灯する。その後、日の入り時（例えば１８時）まで全蛍光灯を点灯状態に置き、昼間の雰囲気を蛍光灯点灯状態に現わす。日の入り時には、先に説明した状況と逆に、蛍光灯の内最後に点灯した蛍光灯を最初にして点灯し、最後に消灯したスポットライトを最初のスポットライトとして最初に点灯する。そして、３０分の間に順次スポットライトを点灯していく。３０分後には全蛍光灯が消灯し、全スポットライトが点灯し、夜間の雰囲気を現わす。このようにして、色温度、照射方向または照度のうち少なくとも一つが継時変化する状況を作り出し、部屋の照明によりきめ細やかさ反映することができる。
【００３７】
図６は、本発明の他の実施例を示す。この例にあっては光センサ４３によって作られた制御信号は６つの異なった抵抗４４によって６つの異なった制御信号として再構成される。これらの異なる６つの制御信号によって第１の照明灯３および第２の照明灯４の点灯，消灯を行う。
【００３８】
図６に示す例にあっても、図５に示す状況を作り出すことができる。
【００３９】
また、複数の局部照明灯を制御する制御信号の閾値を設け、局部照明灯の点消灯の相互のタイミングにより以上に変化を持たせた照明表現による照明を演出することができる。
【００４０】
図７は、本発明の他の実施例を示す。朝方，昼方，夕方の日光に設置角度を変えて６個の光センサ４５が設けてある。角度を変え、指向板４６を設けているので、日光の方向によって６つの光センサによって制御信号を作り出すことができる。この構成により、更に他の照明パターンを作ることができる。
【００４１】
図８は、第１の照明灯についての変形例を示す。第２の照明灯による照明は先例と同様であるので図示しない。
【００４２】
図８に示す例にあっては光源５１は１つ採用され、電源５２に接続される。光源５１はライトボックス５３内に収納され、ライトボックス５３の一部に液晶シャッター５４が設けられ、光源５１からの光の光量を制御することができる。液晶動作ドライバー５５が液晶シャッター５４を動作するようにして設けてあり、かつ電源５２に電気結線される。また、液晶動作ドライバー５５は光センサスイッチ（図示せず）に接続され、光センサスイッチからのＯＮ／ＯＦＦ制御信号が液晶動作ドライバー５５に伝達される。このＯＮ／ＯＦＦ制御信号によって液晶動作ドライバー５５は動作し、電源５２，液晶シャッター５４を制御し、ＯＮ／ＯＦＦ制御信号に対応した形で、すなわち昼，夜の状況に対応して光源５１からの光が照度制御されて窓（発光面）５６から照射される。変形例としてシャッター可動式にしたり、ミラー可動式の制御装置によっても照射を制御することができる。
【００４３】
図９は、本発明を発電所の中央監視制御室６１に適用した例を示す。地下建物の地下室であっても構わない。これらの部屋に窓がなく、外界からの光が遮断されていて、一日の光の状況が判らない場合、本発明は特に効果をもつ。
【００４４】
本実施例にあっては、中央監視制御室６１の部屋６２を全般照明領域６３と局所照明領域６４とに分けている。全般照明領域６３は、作業，業務に必要な照度を確保した平均的に照明する領域であり、この領域には中央監視のために大画面６５，操作卓６６が設けられているものとする。操作卓６６には各種のコンピュータが設けられる。操作卓６６に近接して椅子６７が設けられ、その後方に司令操作卓６８および司令長椅子６９が設けられる。この領域は作業，業務のために所定の限度、例えば１０００ルクス以上の照度が平均的に確保される。
【００４５】
この部屋６２には、所員の生体リズムを健全に維持する目的でリフレッシュコーナーが設けられることとする。このリフレッシュコーナーに局所的照明が設置され、全体照明に影響を与えない局所照明領域６４となる。この局所照明領域６４では照度が制御され、日の出時から日没時までの太陽光の光量の変化の推移によって白色系の複数の照明灯を順次点灯あるいは順次消灯し、かつ日没時から日の出時までの太陽光の光量の変化の推移によって黄色系あるいは暖色系の複数の照明灯を順次点灯あるいは順次消灯し、以って昼および夜の雰囲気を演出する照明とすることになる。
【００４６】
本実施例において、リフレッシュコーナーにおける白色系の複数の照明灯の順次点灯あるいは順次消灯、並びに黄色系あるいは暖色系の複数の照明灯の順次点灯あるいは順次消灯は、図１に示す実施例と同様に、屋外に設置された光センサによって測定した太陽光の光量及び方向の変化の推移に基づいて、これを再現するように制御されると好ましい。また、日の出時から日没時まで、および日没時及び日の出時の太陽光の光量の変化の推移を予め設定した点灯パターンによって照明されるようにしてもよい。
【００４７】
リフレッシュコーナーは、部屋１の一区割に形成され、机１１，卓７２および椅子７３（安楽椅子）が設けられる。机１１上あるいはその上方には間切り１２が設けてあり、壁７９に近接して第１の照明灯である蛍光灯（図示せず）が、そして天井に第２の照明灯７６であるスポットライトが設けてある。間切り１２の最先端部を結んで光拡散処理したガラス７８が設けてあって光を柔かくしている。
【００４８】
図１０および図１１に局所照明の詳細を示す。図１０は平面図であり、図１１は側断面図である。図１１に示すように、蛍光灯７５が壁７９上に設けられている。間切り１２の長さは蛍光灯７５の長さよりも長くして、その長さの中に納めるようにしている。
【００４９】
日没時から日の出時までの時間は、通常の生活からはずれて発電所の監視を行っている人達にとっては生体リズムの維持が重要であり、昼間とは違なる照明上の雰囲気が求められる。単に照度を落すだけの照明方法（光の質は均質）に比べて自然光が強く影響するようにした前述した第１の照明灯３および第２の照明灯４の採用は、光の量や性質を変化させることは確かであり、視覚的な快適性を得ることができる。
【００５０】
【発明の効果】
本発明にあっては、少なくとも第１の照明灯と、第１の照明灯とは非均質な第２の照明灯とを採用し、薄暮を含めて昼と夜とを光センサによって検出し、外界の自然光の変化を光の量と性質で部屋の照明に反映するようにしているので、コンピュータなどの制御装置、あるいはタイマーを使わずに屋内の照明を昼および夜の雰囲気照明とすることができ、無窓の監視制御室のような太陽光が入射しない場所で働く人達が一日を通じて昼，夜をより自然に近い状態で感じることができ、生体リズムを維持しながら作業，業務をすることのできる環境が提供される。
【図面の簡単な説明】
【図１】本発明の実施例の概略を示す構成図。
【図２】日の出から日没，日没から日の出までの照明の状態を示す照明パターン図。
【図３】日の出から日没，日没から日の出までの照明の状態を示す図。
【図４】本発明の他の実施例の概略を示す構成図。
【図５】他の照明状態を示す照明パターン図。
【図６】本発明の他の実施例の概略を示す構成図。
【図７】本発明の他の実施例の概略を示す構成図。
【図８】本発明の実施例の一部の変形例概略構成図。
【図９】本発明を適用した実施例の概略構成図。
【図１０】図７の一部詳細を示す平面図。
【図１１】図７の一部詳細を示す側面図。
【符号の説明】
１…部屋、２，６２…屋内、３…第１の照明灯、４…第２の照明灯、５，６…スイッチ（スイッチ回路）、１１，７１…机、１２，７８…間切り（スリット）、２１，２２，２３，４１，４５…光センサ、２４…分離板、２５，２６，２７…信号、２８，２９，３０…ＡＮＤ回路、４４…抵抗、４６…指向板、６１…中央監視制御室、６３…全般照明領域、６４…局所照明領域、６５…大画面、６６…操作卓、７２…卓、７３…椅子、７４…仕切り、７５…蛍光灯、７６…スポットライト、７８…光拡散処理したガラス、７９…台、８０…天井。
【図１】
0004540789.tif 000002
【図２】
0004540789.tif 000003
【図３】
0004540789.tif 000004
【図４】
0004540789.tif 000005
【図５】
0004540789.tif 000006
【図６】
0004540789.tif 000007
【図７】
0004540789.tif 000008
【図８】
0004540789.tif 000009
【図９】
0004540789.tif 000010
【図１０】
0004540789.tif 000011
【図１１】
0004540789.tif 000012